(57)【要約】本発明は、手の水分乾燥、手の皮膚美容、健康補助、治療活性化、しっぷ等の複合的機能を発揮可能なハンドスキンケア装置に関する。具体的には、吸気機能、赤外線照射機能、赤外線発熱機能およびレーザー照射機能等の機能を有する本体に、ヒンジ軸を介して回動可能に開閉されるカバー部を備え、吸気ファンを通して外部から吸入された空気が赤外線照射部を介して手の位置する作動空間に送風される。熱風により迅速に手の水分乾燥がされ、赤外線照射部および赤外線発熱部から放出される熱、赤外線および遠赤外線により各種疾病の原因菌・細菌の付着を予防・除去して手の衛生管理を行うとともに、装置の内部温度上昇による湿布効果、遠赤外線による手の皮膚美容、健康効果を与える。さらに、低出力のレーザーを手に照射し、患部や手の諸般疾病に対する治療が活性化するように誘導することで健康を補助する。このように、一つの装置で多様かつ複合的な機能を同時に発揮し、広範囲に使用することができ、かつ多様な効果を奏し、製品の経済的価値および実用性を向上させる。【選択図】図１
2008529649.tif 000002
【特許請求の範囲】
【請求項１】
本体（１０）の後方部内側に固定設置される吸気ファン（１２Ａ）およびグリル（１２Ｂ）を通して外部の空気を本体（１０）の内部に吸入するための吸気部（１２）と、
前記吸気部（１２）の前方に固定設置される管体状の断熱板（１３Ａ）および支持台（１３Ｂ）を通して前記断熱板（１３Ａ）の内部中央に固定設置され、熱および赤外線を放出するための赤外線発生具（１３Ｃ）と、前記赤外線発生具（１３Ｃ）の前面に設置される保護網（１３Ｄ）とから構成される赤外線照射部（１３）と、
前記赤外線照射部（１３）と連結された状態でカバー部（２０）の直下方に設けられ、熱および遠赤外線を放出する赤外線発熱部（１４）と、
前記赤外線発熱部（１４）と連結される前面部（１５）の表面に設けられ、装置の作動を制御するためのコントロールパネル（１６）と、
前記前面部（１５）の内側に固定設置され、手に照射させるレーザーを発生するレーザー発生器（１７）と、
ヒンジ軸（Ｈ）を介して回動しながら開閉し、前記本体（１０）と結合されるカバー部（２０）と、
前記カバー部（２０）の内部空間に形成される手収容部（３０）と、
前記手収容部（３０）へ手を案内する手投入口（４０）と、
前記手投入口（４０）の内縁部に固定設置され、手収容部（３０）への手の投入を感知して装置の作動を制御するための一組の感知センサー（５０、５０’）と、
前記カバー部（２０）および前記前面部（１５）に設けられ、カバー部（２０）の開閉状態を選択的にロッキングするロッキング構造（６０）と、
を備え、
使用者の手が前記手収容部３０の内部に投入された状態において、赤外線、遠赤外線およびレーザーを照射することを特徴とする、ハンドスキンケア装置。
【請求項２】
前記赤外線発生具（１３Ｃ）は、熱および遠赤外線を放射する赤外線ランプ（１３Ｃ１）からなることを特徴とする、請求項１に記載のハンドスキンケア装置。
【請求項３】
前記赤外線発生具（１３Ｃ）は、熱および遠赤外線を放射するハロゲンランプ（１３Ｃ３）からなることを特徴とする、請求項１に記載のハンドスキンケア装置。
【請求項４】
前記赤外線発生具（１３Ｃ）は、高嶺土、黄土またはこれらの混合物（１３Ｃ７）を内蔵した石英ガラス管（１３Ｃ４）の外面に電熱線（１３Ｃ８）を巻き付けて構成されることを特徴とする、請求項１に記載のハンドスキンケア装置。
【請求項５】
前記赤外線発生具（１３Ｃ）は、円形または角形の棒状、あるいはドーナッツ形に構成された複合セラミック体（１３Ｃ９）の外周面に電熱線（１３Ｃ１０）を巻き付けて構成されることを特徴とする、請求項１に記載のハンドスキンケア装置。
【請求項６】
前記本体（１０）の内壁面には、赤外線ランプ（１３Ｃ１）を挿入して設置するための複数の挿入孔（１３Ｃ２）が等間隔に設けられることを特徴とする、請求項１または２に記載のハンドスキンケア装置。
【請求項７】
前記ハロゲンランプ（１３Ｃ３）は、管体状の複合セラミック体（１３Ｃ６）の内部に位置するように構成されることを特徴とする、請求項３に記載のハンドスキンケア装置。
【請求項８】
前記赤外線発熱部（１４）は、加熱板（１４Ａ）を内在した２枚の上側絶縁板（１４Ｂ）および下側絶縁板（１４Ｃ）を備え、
前記上側絶縁板（１４Ｂ）の上方には遠赤外線を放出する表面部材（１４Ｄ）が設けられ、
前記下側絶縁板（１４Ｃ）の下方には熱を遮断する断熱板（１４Ｅ）が設けられることを特徴とする、請求項１に記載のハンドスキンケア装置。
【請求項９】
前記赤外線発熱部（１４）は、面状発熱体（１４Ｆ）を内在した２枚の上側絶縁板（１４Ｂ）および下側絶縁板（１４Ｃ）を備え、
前記上側絶縁板（１４Ｂ）の上方には遠赤外線を放出する表面部材（１４Ｄ）が設けられ、
前記下側絶縁板（１４Ｃ）の下方には熱を遮断する断熱板（１４Ｅ）が設けられることを特徴とする、請求項１に記載のハンドスキンケア装置。
【請求項１０】
前記赤外線発熱部（１４）は、
表面部材（１４Ｄ）の底面にハロゲンランプ（１４Ｇ）が付着され、前記ハロゲンランプ（１４Ｇ）の下方には反射板（１４Ｈ）および断熱部材（１４Ｉ）が順次設けられることにより構成されることを特徴とする、請求項１に記載のハンドスキンケア装置。
【請求項１１】
前記カバー部（２０）の内壁には、長さ方向に複数の溝（２３）を備えるセラミック壁（２２）が設けられることを特徴とする、請求項１に記載のハンドスキンケア装置。
【請求項１２】
前記カバー部（２０）の上部には、所定の大きさで形成され、前記手収容部（３０）内に投入された手を使用者が直接観察可能な透明窓（２４）が設けられることを特徴とする、請求項１に記載のハンドスキンケア装置。
【請求項１３】
前記カバー部（２０）のロッキング構造（６０）は、
外部に突出する取手（６１）を有し、底面に挿入案内傾斜面（６２）を備えるロッキング片（６３）と、
前記ロッキング片（６３）を元の位置に弾性復帰させるスプリング（６４）と、
前記前面部（１５）に挿入され、前記ロッキング片（６３）が選択的に挿入されるロッキング溝（６５）と、
を備えることを特徴とする、請求項１に記載のハンドスキンケア装置。
【請求項１４】
前記手投入口（４０）は、前記手収容部（３０）の前方左右両側に対称的に、一対設けられることを特徴とする、請求項１に記載のハンドスキンケア装置。
【請求項１５】
前記手投入口（４０）は、前記手収容部（３０）の内部と連通して、前記前方部（１５）の中央に１つ設けられることを特徴とする、請求項１に記載のハンドスキンケア装置。
【請求項１６】
前記本体（１０）の底部には、ヒンジ軸（７１）およびトーションスプリング（７２）を介して所定角度の範囲内で弾性的に回動する受け台（７０）が設けられることを特徴とする、請求項１に記載のハンドスキンケア装置。
【請求項１７】
前記本体（１０）のヒンジ軸（Ｈ）には、ヒンジ軸ギア（６６Ｂ）およびトーションスプリング（６６Ａ）が設けられ、
前記ヒンジ軸ギア（６６Ｂ）は、前記カバー部（２０）または本体後方部に固定設置される減速ギア（６６Ｃ）と噛み合うように構成されることを特徴とする、請求項１に記載のハンドスキンケア装置。
【発明の詳細な説明】
【技術分野】
【０００１】
本発明は、手の水分乾燥、手の皮膚美容、健康補助、治療活性化、湿布などの複合的な機能を発揮できるハンドスキンケア装置に関するものである。
【背景技術】
【０００２】
最近、国内外では、食物の非衛生的処理による食中毒事故が日々に増加している。特に、食品取扱者の手に存在する微生物による汚染から発生する食中毒事故は、全体の１３％以上を占めており、食品取扱者の衛生管理が強調されている。
【０００３】
このため、手を清潔に維持するための装置が知られており、そのうち、手を洗った後に手に付いた水分を除去するために強い高圧のエアーを噴射して手を乾燥させるエアータオルが知られている。しかしながら、このエアータオルは、空気の噴射力を用いて水分の付着した手を乾燥させるという単純な機能のみを有するもので、使用目的が限定されるという問題を有する。また、空気ジェットが外部に直接流出して手に集中する力が脆弱になり、電力の浪費が激しいという問題点を有する。
【０００４】
その他にも、自動手洗い装置が知られている。自動手洗い装置は、石鹸やタオルなどを別途に備える必要がないので使用時の便利性を図ることができ、洗面台の設置空間が不足する場所や洗面台を設置不可能な場所において簡易移動式洗面台として活用できるという共通的な利点を有する。しかしながら、この自動手洗い装置も手の洗浄および乾燥機能のみを有するもので使用目的が限定されるという問題を有し、その装置が非常に大きいために直水管に連結する場合には別途の設置空間を確保する必要がある。さらに、手の乾燥機構には既存のエアータオル構造がそのまま設けられるので、手の乾燥時における温風熱の手への集中度が低下して熱損失が大きくなる。したがって、高い熱容量のヒーターの適用が必要となり、結果として電力の浪費が激しいという問題点を有する。
【０００５】
一方、赤外線は、各種疾病の原因になる細菌の除去、毛細血管の拡張による血液循環および細胞組織の改善、老化防止、新陳代謝促進、疲労予防、発汗作用促進、痛症緩和、重金属除去、熟睡、脱臭、防菌、除湿、空気浄化などの多様な効果を有するので、赤外線照射を用いる多様な装置が既に知られている。しかし、これは、体の全体や一部位に赤外線を放射するもので、使用目的が治療補助に限定される。特に、手に集中的に用いられるとともに、複合的な機能を有する装置は、未だに知られていないのが実情である。
【０００６】
また、赤外線発熱を用いる寝台、足マッサージ器、布巾乾燥器、温熱器、座浴器などの多様な形態の装置が知られているが、それぞれの装置は、単純に熱を用いた乾燥や加熱機能、または遠赤外線の効果を用いた単純機能を保有するもので、上述したように、手に集中的に用いられるとともに、複合的な機能を有する装置は知られていない。
【０００７】
また、レーザーは、低出力状態で皮膚治療（にきび、手湿疹、はたけ（粃糠疹）など）、シワおよび細菌除去の効能を有するため、レーザー照射装置、例えば、にきび治療器、ヘアードライヤー、皮膚美容装置、レーザー剥皮器などの多様な形態の装置が知られている。しかしながら、これら装置は、単純機能を保有するもので、上述したように、手に集中的に用いられるとともに、複合的な機能を有する装置は知られていない。
【発明の開示】
【発明が解決しようとする課題】
【０００８】
本発明は、このような問題に鑑みてなされたものであって、その目的は、一つの装置によって手の水分乾燥、手の皮膚美容、健康補助、治療活性化、湿布などの複合的な機能を発揮できるハンドスキンケア装置を提供することにある。
【課題を解決するための手段】
【０００９】
上記のような目的を達成するための本発明の要旨は、次の通りである。
【００１０】
本体（１０）の後方部内側に固定設置される吸気ファン（１２Ａ）およびグリル（１２Ｂ）を通して外部の空気を本体（１０）の内部に吸入するための吸気部（１２）と、吸気部（１２）の前方に固定設置される管体状の断熱板（１３Ａ）および支持台（１３Ｂ）を通して断熱板（１３Ａ）の内部中央に固定設置され、熱および赤外線を放出するための赤外線発生具（１３Ｃ）と、赤外線発生具（１３Ｃ）の前面に設置される保護網（１３Ｄ）とから構成される赤外線照射部（１３）と、赤外線照射部（１３）と連結された状態でカバー部（２０）の直下方に設けられ、熱および遠赤外線を放出する赤外線発熱部（１４）と、赤外線発熱部（１４）と連結される前面部（１５）の表面に設けられ、装置の作動を制御するためのコントロールパネル（１６）と、前面部（１５）の内側に固定設置され、手に照射させるレーザーを発生するレーザー発生器（１７）と、ヒンジ軸（Ｈ）を介して回動しながら開閉し、本体（１０）と結合されるカバー部（２０）と、カバー部（２０）の内部空間に形成される手収容部（３０）と、手収容部（３０）へ手を案内する手投入口（４０）と、手投入口（４０）の内縁部に固定設置され、手収容部（３０）への手の投入を感知して装置の作動を制御するための一組の感知センサー（５０、５０’）と、カバー部（２０）および前面部（１５）に設けられ、カバー部（２０）の開閉状態を選択的にロッキングするロッキング構造（６０）と、を備え、使用者の手が手収容部３０の内部に投入された状態において、赤外線、遠赤外線およびレーザーを照射することを特徴とする、ハンドスキンケア装置。
【００１１】
ここで、赤外線発生具（１３Ｃ）は、熱および遠赤外線を放射する赤外線ランプ（１３Ｃ１）からなることが望ましい。
【００１２】
また、赤外線発生具（１３Ｃ）は、熱および遠赤外線を放射するハロゲンランプ（１３Ｃ３）から構成することもできる。
【００１３】
さらに、赤外線発生具（１３Ｃ）は、高嶺土、黄土またはこれらの混合物（１３Ｃ７）を内蔵した石英ガラス管（１３Ｃ４）の外面に電熱線（１３Ｃ８）を巻き付けて構成することもできる。
【００１４】
また、赤外線発生具（１３Ｃ）は、円形または角形の棒状、あるいはドーナッツ形に構成された複合セラミック体（１３Ｃ９）の外周面に電熱線（１３Ｃ１０）を巻き付けて構成することもできる。
【００１５】
本体（１０）の内壁面には、赤外線ランプ（１３Ｃ１）を挿入して設置するための複数の挿入孔（１３Ｃ２）を等間隔に設けてもよい。
【００１６】
ハロゲンランプ（１３Ｃ３）は、管体状の複合セラミック体（１３Ｃ６）の内部に位置するように構成することもできる。
【００１７】
赤外線発熱部（１４）は、加熱板（１４Ａ）を内在した２枚の上側絶縁板（１４Ｂ）および下側絶縁板（１４Ｃ）を備えて構成することもできる。このとき、上側絶縁板（１４Ｂ）の上方には遠赤外線を放出する表面部材（１４Ｄ）が設けられ、下側絶縁板（１４Ｃ）の下方には熱を遮断する断熱板（１４Ｅ）が設けられる。
【００１８】
また、赤外線発熱部（１４）は、面状発熱体（１４Ｆ）を内在した２枚の上側絶縁板（１４Ｂ）および下側絶縁板（１４Ｃ）を備えて構成することもできる。このとき、上側絶縁板（１４Ｂ）の上方には遠赤外線を放出する表面部材（１４Ｄ）が設けられ、下側絶縁板（１４Ｃ）の下方には熱を遮断する断熱板（１４Ｅ）が設けられる。
【００１９】
赤外線発熱部（１４）は、表面部材（１４Ｄ）の底面にハロゲンランプ（１４Ｇ）が付着され、ハロゲンランプ（１４Ｇ）の下方には反射板（１４Ｈ）および断熱部材（１４Ｉ）が順次設けられることにより構成することもできる。
【００２０】
カバー部（２０）の内壁には、長さ方向に複数の溝（２３）を備えるセラミック壁（２２）が設けられる。
【００２１】
カバー部（２０）の上部には、所定の大きさで形成され、手収容部（３０）内に投入された手を使用者が直接観察可能な透明窓（２４）が設けられる。
【００２２】
カバー部（２０）のロッキング構造（６０）は、外部に突出する取手（６１）を有し、底面に挿入案内傾斜面（６２）を備えるロッキング片（６３）と、ロッキング片（６３）を元の位置に弾性復帰させるスプリング（６４）と、前面部（１５）に挿入され、ロッキング片（６３）が選択的に挿入されるロッキング溝（６５）と、を備える。
【００２３】
手投入口（４０）は、手収容部（３０）の前方左右両側に対称的に、一対設けることができる。
【００２４】
また、手投入口（４０）は、手収容部（３０）の内部と連通して、前方部（１５）の中央に１つ設けてもよい。
【００２５】
本体（１０）の底部には、ヒンジ軸（７１）およびトーションスプリング（７２）を介して所定角度の範囲内で弾性的に回動する受け台（７０）が設けられる。
【００２６】
本体（１０）のヒンジ軸（Ｈ）には、ヒンジ軸ギア（６６Ｂ）およびトーションスプリング（６６Ａ）が設けられ、ヒンジ軸ギア（６６Ｂ）は、カバー部（２０）または本体後方部に固定設置される減速ギア（６６Ｃ）と噛み合うように構成される。
【発明の効果】
【００２７】
本発明に係るハンドスキンケア装置は、吸気機能、赤外線照射機能、赤外線発熱機能およびレーザー照射機能などの機能を有する本体に、ヒンジ軸を介して回動可能に開閉されるカバー部を適用したものである。これにより、吸気ファンを通して外部から吸入した空気が、赤外線照射部を通過する状態で手の位置する作動空間に送風されることで、熱風による迅速な手の水分乾燥はもちろん、赤外線照射部および赤外線発熱部から放出される熱、赤外線および遠赤外線を通して各種疾病の原因菌および細菌の付着を予防および除去し、手の衛生管理に万全を期すると同時に、装置の内部温度上昇による湿布効果および遠赤外線による手の皮膚美容および健康効果を与えることができる。さらに、低出力のレーザーを手に照射し、患部や手の諸般疾病に対する治療が活性化されるように誘導することで、健康を補助することができる。このように、一つの装置によって多様かつ複合的な機能を同時に発揮可能とすることで、広範囲に使用することができ、かつ多様な効果を奏する。さらに、製品の経済的価値および実用性を向上させることができる。
【発明を実施するための最良の形態】
【００２８】
以下、本発明の好適な実施例を、添付の図面に基づいて詳細に説明する。図１は、本発明のハンドスキンケア装置の一構成例を示す斜視図である。図２は、図１の内部構造および作動を説明するための断面図である。
【００２９】
本発明のハンドスキンケア装置１は、本体１０と、ヒンジ軸Ｈを介して回動しながら開閉され、本体１０に結合されるカバー部２０と、カバー部２０の内部空間に形成される手収容部３０とを含んで構成される。以下では、本体１０のうち使用者に近接した部分を本体の前面部１５とし、その反対側を本体の後方部として本発明の実施例を説明する。
【００３０】
本体１０は、本体の後方部内側に固定設置される吸気ファン１２Ａおよびグリル１２Ｂを通して外部の空気を本体１０の内部に吸入させるための吸気部１２と、吸気部１２の前方に固定設置される管体状の断熱板１３Ａおよび支持台１３Ｂを通して断熱板１３Ａの内部中央に固定設置され、熱および赤外線を放出するための赤外線発生具１３Ｃと、赤外線発生具１３Ｃの前面に設置され、手収容部３０に投入された手を赤外線発生具１３Ｃの熱による火傷から保護するための保護網１３Ｄとを備えた赤外線照射部１３と、赤外線照射部１３と連結される状態でカバー部２０の直下方に構成され、熱および遠赤外線を放出するための赤外線発熱部１４と、赤外線発熱部１４と連結される前面部１５の表面に露出された状態で構成され、装置の作動を制御するためのコントロールパネル１６と、前面部１５の内側に固定設置され、手にレーザーを照射させるためのレーザー発生器１７とを含んで構成される。選択的に、複数個のレーザー発生器１７が、カバー部２０の後方内側などの位置に固定設置されることもある。
【００３１】
一方、図９〜図１５は、本発明にかかる赤外線発生具１３Ｃの多様な構成例を示す。まず、図９〜図１１に示した構成例は、赤外線ランプ１３Ｃ１を適用したもので、赤外線ランプ１３Ｃ１は、点灯と同時に熱エネルギーおよび赤外線を放出する。このとき放出される赤外線は、人体に有益な５．６〜１０００μｍの波長を有する遠赤外線であり、必要に応じて電圧レベルを可変せずに照射することで人体に熱が吸収されるように誘導したり、適切に電圧レベルを調節することで火傷の危険なしに赤外線波長を人体に深く浸透させるように誘導したりする。そして、赤外線は、温熱および治療、細菌の除去、毛細血管の拡張による血液循環および細胞組織生成に役立つものである。この赤外線ランプ１３Ｃ１は、図１０に示すように、断熱板１３Ａの中央に単一個数で設置したり、図１１に示すように、本体１０の内壁面に等間隔で形成された複数の挿入孔１３Ｃ２を備え、これらの挿入孔１３Ｃ２に挿入して設置したりすることができる。
【００３２】
また、図１２に示す構成例は、Ｕ字状、Ｉ字状、円状、螺旋状などに折り曲げられて成形された石英ガラス管１３Ｃ４内にタングステンフィラメント１３Ｃ５を入れ、窒素やアルゴンなどの不活性気体と微量のハロゲン物質を封入して構成されるハロゲンランプ１３Ｃ３を適用したものである。このハロゲンランプ１３Ｃ３は、耐久性がよく、発熱量に比べて電力消耗が低いという特徴を有する。炭素成分や黒鉛成分の発熱線はタングステンフィラメントの代替として用いることができ、石英ガラス管の表面に遠赤外線放射物質を塗布することで、赤外線および遠赤外線の放出を誘導することができる。
【００３３】
また、図１３に示した構成例は、図１２に示すように構成されるハロゲンランプ１３Ｃ３の周りに管体状の複合セラミック体１３Ｃ６を適用したものであり、ハロゲンランプ１３Ｃ３の発熱によって複合セラミック体１３Ｃ６から遠赤外線が放射されるように構成されている。
【００３４】
複合セラミック体１３Ｃ６は、ムライト、フェライト、コーディエライト、ジルコン、チタン酸アルミニウムなどのセラミック材質に、絹雲母、長石、葉ろう石、ベントナイト、蛇紋石、白礬石、石英、モンゾナイト、片麻岩類、流紋岩質、凝灰岩などの鉱物質を混合した複合セラミック、または、複数の組み合わせによる複合焼結セラミックである。これらは、１２５０℃以上で焼成されることにより、軽量となり、かつ高効率の遠赤外線を放射するという特徴を有する。
【００３５】
また、図１４に示した構成例は、高嶺土、黄土、またはこれらの混合物１３Ｃ７を内蔵した石英ガラス管１３Ｃの外面に電熱線１３Ｃ８を巻き取り、電熱線１３Ｃ８から発生する熱を受けて、石英ガラス管１３Ｃに内蔵した高嶺土および黄土から赤外線が放射されるように構成されている。
【００３６】
また、図１５に示した構成例は、図１３の複合セラミック体１３Ｃ６と同じ素材の複合セラミック体１３Ｃ９を円形または角形の棒状やドーナッツ形に構成した後、その外周面に鉄クロムやニクロム線コイルからなる電熱線１３Ｃ１０を巻き付け、電熱線から発生する熱を用いて複合セラミック体１３Ｃ９に遠赤外線が放射されるように構成されている。
【００３７】
一方、本発明における赤外線発熱部１４には、次のような三つの構成例が挙げられる。
【００３８】
まず、図１６に示す構成例は、中間に加熱板１４Ａを内在した２枚の上側および下側絶縁板１４Ｂ、１４Ｃのうち、上側絶縁板１４Ｂには遠赤外線を放出する表面部材１４Ｄを備え、下側絶縁板１４Ｃには熱を遮断する断熱板１４Ｅを備える加熱板による発熱放射方式として形成されている。加熱板１４Ａは、加熱コイル、電気パネル、電気パイプ、コイルヒーターなどの形態であり、加熱板１４に電源を印加すると熱が発生して表面部材１４Ｄに転移し、表面部材１４Ｄから放出される遠赤外線が、投入された手に放射される。
【００３９】
第二に、図１７に示す構成例は、図１６の構造における加熱板１４Ａの代わりに面状発熱体１４Ｆを適用する面状発熱体による発熱放射方式として形成されている。面状発熱体１４Ｆは、金属箔板エッチング型面状発熱体、カーボンブラック厚膜面状発熱体、カーボンブラック高分子面状発熱体、カーボン繊維面状発熱体などの板状形態であり、面状発熱体１４Ｆに電源を印加すると熱が発生して表面部材１４Ｄに転移し、表面部材１４Ｄから放出される遠赤外線が、投入された手に放射される。
【００４０】
第三に、図１８に示す構成例は、表面部材１４Ｄの底面にハロゲンランプ１４Ｇを付着し、ハロゲンランプ１４Ｇの下側に反射板１４Ｈおよび断熱部材１４Ｉを順次適用して形成されている。ハロゲンランプ１４Ｇに電源を印加すると熱が発生して表面部材１４Ｄに転移し、表面部材１４Ｄから放出される遠赤外線が、投入された手に放射される。ハロゲンランプ１４Ｇは、図１２に示したハロゲンランプと同様に、Ｕ字状、Ｉ字状、円状または螺旋状などに折り曲げられて成形された石英ガラス管内にタングステンフィラメントを入れ、窒素やアルゴンなどの不活性気体および微量のハロゲン物質を封入して構成される。
【００４１】
一方、遠赤外線を放出する表面部材１４Ｄは、多様な素材で構成され、例えば玉、麥飯石、絹雲母、長石、葉ろう石、ベントナイト、蛇紋石、明礬石、石英、モンゾナイト、片麻岩類、流紋巌質、凝灰岩、ゲルマニウム（雲母石）、イライト、紫水晶、トルマリン、ぜオライト、白玉、軟玉、かんらん石、バイオストンなどの原石からなる板材や金属材、セラミック強化ガラス、上述した複合セラミック体、セラミックコーティング膜処理素材、高温で焼成処理した黄土板などで構成される。
【００４２】
一方、図５は、本発明にかかるコントロールパネル１６の一構成を示す正面図である。基本的に作動電源を印加するための電源スイッチ１６Ａが構成され、その他に、吸気ファン１２Ａを作動させて送風させるための送風時間調節スイッチ１６Ｂと、赤外線照射部１３、赤外線発熱部１４およびレーザー発生器１７の作動時間を調節するための作動時間調節スイッチ１６Ｃと、赤外線照射部１３の温度範囲を調節するための照射部温度調節スイッチ１６Ｄと、赤外線発熱部１４の温度範囲を調節するための発熱部温度調節スイッチ１６Ｅと、作動状態や条件を外部にデジタル状態で表示するための作動表示ウィンドウ１６Ｆとから構成される。
【００４３】
一方、図２に、レーザー発生器１７を拡大して示す。本発明にかかるレーザーは、生体刺激を目的とする低出力のソフトレーザーであり、細胞活性化、傷治癒、炎症緩和、各種疾病の原因菌であるかびや大腸菌の除去、手湿疹、はたけ（粃糠疹）およびシワの治療など多様な効果を奏する。
【００４４】
低出力のレーザーは、治療目的によって特定の波長、出力、パルスモード、パルスパラメーターが適用される。
【００４５】
レーザーは拡散せずに直線光を維持する特性を有するため、本発明では、レーザー光源１７Ａから発光されたレーザー光線を凸レンズ１７Ｂを通して照射範囲を拡張し、手に均一に照射されるようにした。レーザー光源としては、小型軽量である半導体ダイオードを適用することが好ましい。
【００４６】
また、カバー部２０は、手収容部３０の異物質除去および埃除去などの掃除によって衛生および清潔を維持できるように開閉可能に構成される。カバー部２０は、カバー部２０と本体前面部１５の内壁に長さ方向に複数の溝２３を備えるセラミック壁２２と、カバー部２０の上部に所定大きさで構成され、外部から手収容部３０に投入された手を使用者が直接観察できるようにした透明窓２４とを含んで構成される。セラミック壁２２は、複合セラミック体１３Ｃ６やプラスチック上にセラミックコーティング膜を処理して構成される。
【００４７】
セラミック壁２２は、遠赤外線を放出することはもちろん、溝２３を通して空気、赤外線およびレーザーの不規則な放出を抑制し、これらを手に集中させることにより使用効果を向上させることができる。
【００４８】
手収容部３０は、両手が充分に収容されるとともに、両手を適当に動かすことができる程度の余裕空間を備えて構成される。
【００４９】
そして、本体１０とカバー部２０には、それぞれ対向した弧状の投入部４１，４１’が構成され、本体１０とカバー部２０との連結部分には、手収容部３０への手の投入を案内するための手投入口４０が形成される。手投入口４０は、図１に示すように、両側に対称的に二つ設けることもでき、図６に示すように、中央に１個のみ設けることもできる。このとき、手収容部３０に手を挿入した状態で各種機能の作動を楽に受けることができるように人体工学的な設計が要求される。
【００５０】
また、手投入口４０の内縁部には、手の投入および引出しを感知して機器の作動を制御する一組の感知センサー５０，５０’が設けられる。本発明の装置は、投入された手を両側の感知センサー５０，５０’のうち一つのみが感知する場合にも装置１が作動するように設定され、両手を全て引き出すと、本発明に係る装置１の動作が停止する。これは、機器の作動取り扱いのために一つの手を手投入口から引き出す場合も、機器の作動が停止しないようにするためである。
【００５１】
また、カバー部２０と前面部１５には、カバー部２０の開閉を制御するためのロッキング構造６０が適用されるが、公知の多様な構造が適用可能である。本発明では、外部に突出する取手６１を有し、底面に挿入案内傾斜面６２が形成されたロッキング片６３がスプリング６４を介してカバー部２０の端部に弾設される。これに接する前面部１５には、ロッキング片６３が挿入されるロッキング溝６５が形成されている。
【００５２】
一方、図７および図８は、装置１が傾斜して設置可能なように構成された本発明の他の構成例を示す。図７は、板状の受け台７０をヒンジ結合により本体１０の後端に回動可能に固定した構造である。図８は、板状の受け台７０をヒンジ結合により本体１０の底面中間部に回動可能に固定した構造である。
【００５３】
これらの構造によれば、取り扱いの便宜上、手投入口がやや上方に位置することで手の投入が容易になり、手の投入時に手が弾性的に支持されるので楽に取り扱うことができる。
【００５４】
ここで、ヒンジ軸７１にトーションスプリング７２を適用することで、平常時にはトーションスプリング７２の力で装置１が自動的に受け台７０上方に傾斜して持ち上げられ、手の投入時には、その重さによってトーションスプリング７２は変形し、手が適切でかつ楽な高さにまで下降する。
【００５５】
一方、本発明に係る装置１は、設置場所および方法、使用方法において特別に制限されるものでなく、テーブルなどに置かれて固定または運搬可能な状態で使用されたり、または、装置１の適切な固定手段を備えて壁などに固定設置されたりする。
【００５６】
以下に、上記のように構成される本発明かかるハンドスキンケア装置の作用を詳細に説明する。
【００５７】
まず、カバー部２０を閉鎖した状態で、コントロールパネル１６の電源スイッチ１６Ａを「オン」にして装置に電源を印加し、送風時間調節スイッチ１６Ｂ、作動時間調節スイッチ１６Ｃ、照射部温度調節スイッチ１６Ｄおよび発熱部温度調節スイッチ１６Ｅを用いて吸気ファン１２Ａの作動時間と、赤外線照射部１３、赤外線発熱部１４およびレーザー発生器１７の作動時間と、赤外線照射部１３および赤外線発熱部１４の温度範囲を適宜セッティングする。次いで、図２に示すように、手投入口４０に手を投入し、両手を摩擦しあう状態で使用する。このとき、手が手投入口４０に投入されると、手投入口４０の縁部に設けられた感知センサー５０，５０’がこれを感知して吸気ファン１２Ａを作動させる。これにより、外部の空気がグリル１２Ｂを介して本体１０の内部に流入し、流入した空気は、電源の印加により加熱された赤外線照射部１３に直ちに流入して熱風に加熱されて手収容部３０に送風される。これとともに、赤外線照射部１３から赤外線または遠赤外線が手収容部３０方向に出射され、投入された手に照射させることで乾燥機能と赤外線や遠赤外線の持つ特有の機能および効能を手に与えることができる。
【００５８】
このとき、赤外線照射部１３の断熱板１３Ａは、赤外線発生具１３Ｃから発生する熱の不規則な方向への放出を抑制して過熱による本体１０の変形を防止し、熱、赤外線および遠赤外線を手に集中させることで、使用効果を高める機能を有する。また、熱風は、セラミック壁２２の溝２３のような規則的な通路に沿って手収容部３０に移動し、手に集中するようになる。
【００５９】
また、本体１０の底部に位置した赤外線発熱部１４は、電源の印加によって熱および遠赤外線が放出されて手に作用するとともに、手収容部３０内の空気および表面部材１４Ｄを加熱することで遠赤外線を放出するように誘導する。
【００６０】
また、レーザー発生器１７は、電源の印加によって低出力のレーザーを出力して手に放射することで、レーザーの持つ特有の機能および効能を手に与えることができる。
【００６１】
一方、本発明に係る装置の手収容部３０の内部に埃やその他の異質物が投入されて汚染された場合、または赤外線発熱部１４、赤外線照射部１３およびレーザー発生器１７の故障修理、取り替えなどが必要である場合は、ロッキング構造６０を解除することによって、図３に示すようにカバー部２０を開放して内部をオープン状態にする。
【００６２】
カバー部２０の後端部に備わるロッキング構造６０の取手６１を後側に押すと、ロッキング片６３がスプリング６４を収縮しながら後退し、ロッキング片６３の先端が前面部１５のロッキング溝６５から抜け出る。そして、この状態でカバー部２０を上方に持ち上げると、カバー部２０は、ヒンジ軸Ｈを中心に回動しながら簡単に開放される。
【００６３】
図３を参照すると、ヒンジ軸Ｈには、ヒンジ軸ギア６６Ｂおよびトーションスプリング６６Ａが装着されており、ヒンジ軸ギア６６Ｂは、カバー部２０または本体後方部に固定設置される減速ギア６６Ｃと噛み合っている。これによって、ロッキング構造６０の解除によってカバー部２０を開放する場合、カバー部２０は、トーションスプリング６６Ａの作用によって、ヒンジ軸Ｈを中心に回動しながら容易に上方に持ち上げられる一方、ヒンジ軸ギア６６Ｂと減速ギア６６Ｃとの噛み合いによって、急激に作動することなく徐々に自然に開放される。
【００６４】
反対に、カバー部２０を閉鎖する場合、カバー部２０をそのまま押し下げると、ロッキング片６３の挿入案内傾斜面６２が前面部１５の縁部に接触しながら後側に滑って後退する。そして、完全に閉鎖されてロッキング片６３とロッキング溝６５とが一致する状態になるとスプリング６４の弾性力によってロッキング片６３が前進し、ロッキング溝６５内に挿入されることによりロッキングが行われる。
【００６５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６６】
【図１】本発明にかかるハンドスキンケア装置の一構成例を示す斜視図である。
【図２】図１のハンドスキンケア装置の内部構造および作動を説明するための部分断面図である。
【図３】本発明にかかるカバー部の開閉状態を示す側面図である。
【図４】本発明にかかるカバー部を示す縦断面図である。
【図５】本発明にかかるコントロールパネルの構成を示す正面図である。
【図６】本発明の他の構成例として、単一個数の手投入口を中央に構成した状態を示す正面図である。
【図７】本発明の他の構成例として、受け台を用いて本体が傾斜して位置するように構成された状態を示す側面図である。
【図８】本発明のさらに他の構成例として、受け台が本体の中間部に構成された状態を示す側面図である。
【図９】本発明にかかる赤外線照射部の一構成例である赤外線ランプを示す断面図である。
【図１０】図９の赤外線ランプを他の方向から見た断面図である。
【図１１】赤外線ランプの一適用例を示す断面図である。
【図１２】本発明にかかる赤外線照射部の他の構成例であるハロゲンランプを示す断面図である。
【図１３】本発明にかかる赤外線照射部の他の構成例として、ハロゲンランプと複合セラミック体との結合構成を示す断面図である。
【図１４】本発明にかかる赤外線照射部の他の構成例を示す断面図である。
【図１５】本発明にかかる赤外線照射部の他の構成例として、複合セラミック体に電熱線を巻き取った構成を示す断面図である。
【図１６】本発明にかかる赤外線発熱部の一構成例を示す図である。
【図１７】本発明にかかる赤外線発熱部の他の構成例を示す図である。
【図１８】本発明にかかる赤外線発熱部のさらに他の構成例を示す図である。
【図１】
2008529649.tif 000003
【図２】
2008529649.tif 000004
【図３】
2008529649.tif 000005
【図４】
2008529649.tif 000006
【図５】
2008529649.tif 000007
【図６】
2008529649.tif 000008
【図７】
2008529649.tif 000009
【図８】
2008529649.tif 000010
【図９】
2008529649.tif 000011
【図１０】
2008529649.tif 000012
【図１１】
2008529649.tif 000013
【図１２】
2008529649.tif 000014
【図１３】
2008529649.tif 000015
【図１４】
2008529649.tif 000016
【図１５】
2008529649.tif 000017
【図１６】
2008529649.tif 000018
【図１７】
2008529649.tif 000019
【図１８】
2008529649.tif 000020
【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
本体（１０）の後方部内側に固定設置される吸気ファン（１２Ａ）およびグリル（１２Ｂ）を通して外部の空気を本体（１０）の内部に吸入するための吸気部（１２）と、
前記吸気部（１２）の前方に固定設置される管体状の断熱板（１３Ａ）および支持台（１３Ｂ）を通して前記断熱板（１３Ａ）の内部中央に固定設置され、熱および赤外線を放出するための赤外線発生具（１３Ｃ）と、前記赤外線発生具（１３Ｃ）の前面に設置される保護網（１３Ｄ）とから構成される赤外線照射部（１３）と、
前記赤外線照射部（１３）と連結された状態でカバー部（２０）の直下方に設けられ、熱および遠赤外線を放出する赤外線発熱部（１４）と、
前記赤外線発熱部（１４）と連結される前面部（１５）の表面に設けられ、装置の作動を制御するためのコントロールパネル（１６）と、
前記前面部（１５）の内側に固定設置され、手に照射させるレーザーを発生するレーザー発生器（１７）と、
ヒンジ軸（Ｈ）を介して回動しながら開閉し、前記本体（１０）と結合されるカバー部（２０）と、
前記カバー部（２０）の内部空間に形成される手収容部（３０）と、
前記手収容部（３０）へ手を案内する手投入口（４０）と、
前記手投入口（４０）の内縁部に固定設置され、手収容部（３０）への手の投入を感知して装置の作動を制御するための一組の感知センサー（５０、５０’）と、
前記カバー部（２０）および前記前面部（１５）に設けられ、カバー部（２０）の開閉状態を選択的にロッキングするロッキング構造（６０）と、
を備え、
使用者の手が前記手収容部３０の内部に投入された状態において、赤外線、遠赤外線およびレーザーを照射することを特徴とする、ハンドスキンケア装置。
【請求項２】
前記赤外線発生具（１３Ｃ）は、熱および遠赤外線を放射する赤外線ランプ（１３Ｃ１）からなることを特徴とする、請求項１に記載のハンドスキンケア装置。
【請求項３】
前記赤外線発生具（１３Ｃ）は、熱および遠赤外線を放射するハロゲンランプ（１３Ｃ３）からなることを特徴とする、請求項１に記載のハンドスキンケア装置。
【請求項４】
前記赤外線発生具（１３Ｃ）は、高嶺土、黄土またはこれらの混合物（１３Ｃ７）を内蔵した石英ガラス管（１３Ｃ４）の外面に電熱線（１３Ｃ８）を巻き付けて構成されることを特徴とする、請求項１に記載のハンドスキンケア装置。
【請求項５】
前記赤外線発生具（１３Ｃ）は、円形または角形の棒状、あるいはドーナッツ形に構成された複合セラミック体（１３Ｃ９）の外周面に電熱線（１３Ｃ１０）を巻き付けて構成されることを特徴とする、請求項１に記載のハンドスキンケア装置。
【請求項６】
前記本体（１０）の内壁面には、赤外線ランプ（１３Ｃ１）を挿入して設置するための複数の挿入孔（１３Ｃ２）が等間隔に設けられることを特徴とする、請求項１または２に記載のハンドスキンケア装置。
【請求項７】
前記ハロゲンランプ（１３Ｃ３）は、管体状の複合セラミック体（１３Ｃ６）の内部に位置するように構成されることを特徴とする、請求項３に記載のハンドスキンケア装置。
【請求項８】
前記赤外線発熱部（１４）は、加熱板（１４Ａ）を内在した２枚の上側絶縁板（１４Ｂ）および下側絶縁板（１４Ｃ）を備え、
前記上側絶縁板（１４Ｂ）の上方には遠赤外線を放出する表面部材（１４Ｄ）が設けられ、
前記下側絶縁板（１４Ｃ）の下方には熱を遮断する断熱板（１４Ｅ）が設けられることを特徴とする、請求項１に記載のハンドスキンケア装置。
【請求項９】
前記赤外線発熱部（１４）は、面状発熱体（１４Ｆ）を内在した２枚の上側絶縁板（１４Ｂ）および下側絶縁板（１４Ｃ）を備え、
前記上側絶縁板（１４Ｂ）の上方には遠赤外線を放出する表面部材（１４Ｄ）が設けられ、
前記下側絶縁板（１４Ｃ）の下方には熱を遮断する断熱板（１４Ｅ）が設けられることを特徴とする、請求項１に記載のハンドスキンケア装置。
【請求項１０】
前記赤外線発熱部（１４）は、
表面部材（１４Ｄ）の底面にハロゲンランプ（１４Ｇ）が付着され、前記ハロゲンランプ（１４Ｇ）の下方には反射板（１４Ｈ）および断熱部材（１４Ｉ）が順次設けられることにより構成されることを特徴とする、請求項１に記載のハンドスキンケア装置。
【請求項１１】
前記カバー部（２０）の内壁には、長さ方向に複数の溝（２３）を備えるセラミック壁（２２）が設けられることを特徴とする、請求項１に記載のハンドスキンケア装置。
【請求項１２】
前記カバー部（２０）の上部には、所定の大きさで形成され、前記手収容部（３０）内に投入された手を使用者が直接観察可能な透明窓（２４）が設けられることを特徴とする、請求項１に記載のハンドスキンケア装置。
【請求項１３】
前記カバー部（２０）のロッキング構造（６０）は、
外部に突出する取手（６１）を有し、底面に挿入案内傾斜面（６２）を備えるロッキング片（６３）と、
前記ロッキング片（６３）を元の位置に弾性復帰させるスプリング（６４）と、
前記前面部（１５）に挿入され、前記ロッキング片（６３）が選択的に挿入されるロッキング溝（６５）と、
を備えることを特徴とする、請求項１に記載のハンドスキンケア装置。
【請求項１４】
前記手投入口（４０）は、前記手収容部（３０）の前方左右両側に対称的に、一対設けられることを特徴とする、請求項１に記載のハンドスキンケア装置。
【請求項１５】
前記手投入口（４０）は、前記手収容部（３０）の内部と連通して、前記前方部（１５）の中央に１つ設けられることを特徴とする、請求項１に記載のハンドスキンケア装置。
【請求項１６】
前記本体（１０）の底部には、ヒンジ軸（７１）およびトーションスプリング（７２）を介して所定角度の範囲内で弾性的に回動する受け台（７０）が設けられることを特徴とする、請求項１に記載のハンドスキンケア装置。
【請求項１７】
前記本体（１０）のヒンジ軸（Ｈ）には、ヒンジ軸ギア（６６Ｂ）およびトーションスプリング（６６Ａ）が設けられ、
前記ヒンジ軸ギア（６６Ｂ）は、前記カバー部（２０）または本体後方部に固定設置される減速ギア（６６Ｃ）と噛み合うように構成されることを特徴とする、請求項１に記載のハンドスキンケア装置。
【請求項１８】
本体（１０）の後方部内側に固定設置される吸気ファン（１２Ａ）およびグリル（１２Ｂ）を通して外部の空気を本体（１０）の内部に吸入するための吸気部（１２）と、
前記吸気部（１２）の前方に固定設置される管体状の断熱板（１３Ａ）および支持台（１３Ｂ）を通して前記断熱板（１３Ａ）の内部中央に固定設置され、熱および赤外線を放出するための赤外線発生具（１３Ｃ）と、赤外線発生具（１３Ｃ）の前面に設置される保護網（１３Ｄ）とから構成される赤外線照射部（１３）と、
前記赤外線照射部（１３）と連結された状態で前記本体（１０）の底部に設けられ、熱および遠赤外線を放出する赤外線発熱部（１４）と、
前記赤外線発熱部（１４）と連結される前面部（１５）の表面に設けられ、装置の作動を制御するためのコントロールパネル（１６）と、
前記前面部（１５）の内側に固定設置され、手に照射させるレーザーを発生するレーザー発生器（１７）と、
ヒンジ軸（Ｈ）を介して回動しながら開閉し、前記本体（１０）に結合されるカバー部（２０）と、
前記本体（１０）の内部空間に形成される手収容部（３０）と、
前記手収容部（３０）へ手を案内する手投入口（４０）と、
前記手投入口（４０）の内縁部に固定設置され、手収容部（３０）への手の投入を感知して装置の作動を制御するための一組の感知センサー（５０、５０’）と、
前記カバー部（２０）および前記前面部（１５）に設置され、前記カバー部（２０）の開閉状態を選択的にロッキングするロッキング構造（６０）と、
を備え、
使用者の手が前記手収容部（３０）の内部に投入された状態において、赤外線、遠赤外線およびレーザーを照射することを特徴とする、ハンドスキンケア装置。
【国際調査報告】
2008529649.tif 000021